(57)【特許請求の範囲】
【請求項１】
ボウル部と、
前記ボウル部内に設けられ、前記ボウル部内に洗浄水を吐水して当該洗浄水による旋回流を形成する吐水部と、
前記吐水部まで洗浄水を導水する導水路と、
前記ボウル部の下方に接続された排水路と、
前記ボウル部の側方全周を覆うように設けられたスカート部と、
を備え、
前記スカート部の上方部分は、少なくとも後方側の左右領域において、鉛直方向に対して外側に凸状に湾曲した膨出部を有しており、
前記スカート部には、当該スカート部の内側領域と外側領域とを連通させる開口部が設けられており、
前記開口部は、前記スカート部の下方部分の後方領域に位置しており、給水機構の配管に接続されるようになっている
ことを特徴とする水洗式大便器。
【請求項２】
前記ボウル部の上方に配置された便座と、
前記便座の上面を開閉可能な便蓋と、
が更に設けられており、
前記膨出部は、平面視において、左右いずれの方向においても、便蓋の側方にはみ出ている
ことを特徴とする請求項１に記載の水洗式大便器。
【請求項３】
前記スカート部の下方部分は、少なくとも後方側の左右領域において、前記膨出部から滑らかに連続すると共に内側に凸状に湾曲したスリム部を有している
ことを特徴とする請求項１または２に記載の水洗式大便器。
【請求項４】
前記膨出部と前記スリム部との高さの比は、２：１〜３：１の範囲内である
ことを特徴とする請求項３に記載の水洗式大便器。
【請求項５】
前記スカート部の前記膨出部の下端縁は、１２０ｍｍ〜１７０ｍｍの高さ範囲内に設けられ、
前記スカート部の前記膨出部の上端縁は、３８０ｍｍ〜５１０ｍｍの高さ範囲内に設けられている
ことを特徴とする請求項１乃至４のいずれか１項に記載の水洗式大便器。
【請求項６】
前記スカート部の前記膨出部は、平面視において、当該膨出部の上端縁に対して側方に１ｍｍ以上がはみ出ている
ことを特徴とする請求項１乃至５のいずれか１項に記載の水洗式大便器。
【請求項７】
前記スカート部は、前記ボウル部の側方全周を滑らかに連続的に覆っている
ことを特徴とする請求項１乃至６のいずれか１項に記載の水洗式大便器。
【発明の詳細な説明】
【技術分野】
【０００１】
本発明は、水洗式大便器に係り、特に、ボウル部と、当該ボウル部の側方全周を覆うように設けられたスカート部と、を備えた水洗式大便器に関する。
【背景技術】
【０００２】
ボウル部と、当該ボウル部の側方全周を覆うように設けられたスカート部と、を備えた水洗式大便器は、従来からよく知られている。スカート部は、袴と呼ばれることもある。
本件発明者は、スカート部の形状を様々に工夫することによって、水洗式大便器の意匠性を高めるべく検討を重ねてきた。その検討の過程において、スカート部の形状自体を工夫することに加えて、スカート部によって給水機構（止水栓や給水管等）を視界から遮るような工夫を加味することが、商品の意匠性を高め、ひいては商品の製品価値を高めるであろうという知見に至った。
【先行技術文献】
【特許文献】
【０００３】
【特許文献１】特開２００８−２４０４３７
【特許文献２】特開２００３−２７８２５７
【発明の概要】
【発明が解決しようとする課題】
【０００４】
本発明は、以上のような知見に鑑みてなされたもので、その目的とするところは、スカート部の形状を工夫してそれ自体の意匠性を高めると共に、当該スカート部によって給水機構（止水栓や給水管等）等が視界から遮られるような配置を容易化できる水洗式大便器を提供することである。
【０００５】
なお、本件出願人によって実施された調査によれば、水洗式大便器の後方領域に給水ホース類を隠蔽することについては、特許文献１に開示があり、スカート部が椀状である（外側に凸状に湾曲している）ことについては、特許文献２に開示がある。
【課題を解決するための手段】
【０００６】
本発明は、ボウル部と、前記ボウル部内に設けられ、前記ボウル部内に洗浄水を吐水して当該洗浄水による旋回流を形成する吐水部と、前記吐水部まで洗浄水を導水する導水路と、前記ボウル部の下方に接続された排水路と、前記ボウル部の側方全周を覆うように設けられたスカート部と、を備え、前記スカート部の上方部分は、少なくとも後方側の左右領域において、鉛直方向に対して外側に凸状に湾曲した膨出部を有しており、前記スカート部には、当該スカート部の内側領域と外側領域とを連通させる開口部が設けられており、前記開口部は、前記スカート部の下方部分の後方領域に位置しており、給水機構の配管に接続されるようになっていることを特徴とする水洗式大便器である。
【０００７】
本発明によれば、スカート部の膨出部が、平面視において、当該膨出部の上端縁からはみ出ている。このような形状は、美観に優れ、すなわち、それ自体の意匠性が高い。更に、従来の形状と異なって、膨出部が、当該膨出部の上端縁から外側に凸状に湾曲してはみ出ており、且つ、給水機構の配管接続用の開口部がスカート部の下方部分の後方領域に位置いることにより、給水機構（例えば、止水栓や給水管等）等を視界から遮るような配置を容易化できる。
【０００８】
ボウル部の上方に配置された便座と、便座の上面を開閉可能な便蓋が、更に設けられ得る。この場合、膨出部は、平面視において、左右いずれの方向においても便蓋の側方にはみ出ていることが好ましい。すなわち、平面視において、便蓋の方が相対的に小さいことが好ましい。本件発明者による検討によれば、そのようなサイズ選択こそ、美観に優れる。
【０００９】
また、スカート部の下方部分は、少なくとも後方側の左右領域において、膨出部から滑らかに連続すると共に内側に凸状に湾曲したスリム部を有していることが好ましい。このような形状は、美観に優れ、すなわち、それ自体の意匠性が高い。更に、床面清掃等の作業のための空間も確保されるため、機能面でも優れる。
【００１０】
美観という観点からは、膨出部とスリム部との高さの比は、２：１〜３：１の範囲内であることが好ましい。あるいは、膨出部の下端縁は、１２０ｍｍ〜１７０ｍｍの高さ範囲内に設けられ、膨出部の上端縁は、３８０ｍｍ〜５２０ｍｍの高さ範囲内に設けられていることが好ましい。更に、膨出部の膨らみの程度については、平面視において、膨出部は当該膨出部の上端縁に対して側方に１ｍｍ以上がはみ出ていることが好ましい。
【００１１】
また、スカート部は、ボウル部の側方全周を滑らかに連続的に覆っていることが好ましい。このような形状は、美観に優れ、すなわち、それ自体の意匠性が高い。
【発明の効果】
【００１２】
本発明によれば、スカート部の膨出部が、平面視において、当該膨出部の上端縁からはみ出ている。このような形状は、美観に優れ、すなわち、それ自体の意匠性が高い。更に、従来の形状と異なって、膨出部が、当該膨出部の上端縁から外側に凸状に湾曲してはみ出ており、且つ、給水機構の配管接続用の開口部がスカート部の下方部分の後方領域に位置いることにより、給水機構（例えば、止水栓や給水管等）等を視界から遮るような配置を容易化できる。
【図面の簡単な説明】
【００１３】
【図１】本発明の一実施形態による水洗式大便器を示す斜視図であり、便蓋を閉鎖した状態を示す。
【図２】本発明の一実施形態による水洗式大便器を示す斜視図であり、便器本体に対して便座及び便蓋を上方位置まで回動させた状態を示す。
【図３】図１に示す本発明の一実施形態による水洗式大便器における左右方向の中央断面を左側から見た断面図である。
【図４】図２に示す本発明の一実施形態による水洗式大便器における左右方向の中央断面を右側から見た断面図である。
【図５】本発明の一実施形態による水洗式大便器の便器本体の分解斜視図である。
【図６】本発明の一実施形態による水洗式大便器の便器本体の背面図である。
【図７】本発明の一実施形態による水洗式大便器に便器補助部材を取り付けた状態の斜視図である。
【図８】本発明の一実施形態による水洗式大便器の便器本体のスカート部及び便蓋における後方側部分を拡大した部分拡大平面図である。
【図９】本発明の一実施形態による水洗式大便器の給水系機能部を示す斜視図である。
【図１０】図２のＸ−Ｘ線に沿って見た断面図である。
【図１１】本発明の一実施形態による水洗式大便器の給水系機能部を示す縦断面図である。
【図１２】本発明の一実施形態による水洗式大便器の設置例を示す水洗式大便器設置室の平面図である。
【発明を実施するための形態】
【００１４】
以下、添付図面を参照して、本発明の一実施形態による水洗式大便器の構造を説明する。
まず、図１は、本発明の一実施形態による水洗式大便器を示す斜視図であり、便蓋を閉鎖した状態を示し、図２は、本発明の一実施形態による水洗式大便器を示す斜視図であり、便器本体に対して便座及び便蓋を上方位置まで回動させた状態を示す。
また、図３は、図１に示す本発明の一実施形態による水洗式大便器における左右方向の中央断面を左側から見た断面図であり、図４は、図２に示す本発明の一実施形態による水洗式大便器における左右方向の中央断面を右側から見た断面図である。
【００１５】
図１〜図４に示すように、本発明の一実施形態による水洗式大便器１は、陶器製の便器本体２と、この便器本体２の上面に配置された便座４（詳細は後述する）と、この便座４を覆うように配置された便蓋６（詳細は後述する）と、便器本体２の後方に配置された機能部８と、を備えている。
【００１６】
また、図３及び図４に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２と、を備えている。
【００１７】
次に、図５は、本発明の一実施形態による水洗式大便器の便器本体の分解斜視図である。
図２〜図５に示すように、便器本体２は、汚物を受けるボウル部１４と、このボウル部１４の上縁に設けられたリム部１６と、ボウル部１４の下方に入口部１８ａが接続されて、ボウル部１４内の汚物を排出する排水路である排水トラップ管路１８と、ボウル部１４及び排水トラップ管路１８のそれぞれに対して側方から覆うように設けられたスカート部２０（詳細は後述する）と、を備えている。
【００１８】
また、図３に示すように、リム部１６の内周部における左右方向の右側領域における前後方向の前方側には、リム吐水口２２（吐水部）が形成されており、このリム吐水口２２から後方側に向けてボウル部１４の縁に沿って洗浄水が吐水されることにより、ボウル部１４内に旋回流が形成されるようになっている。ここで、図３及び図４に示すように、リム吐水口２２の上流側に形成される導水路２４の上流側は、給水源である水道（図示せず）に直結されており、この水道（図示せず）の給水圧力により、リム吐水口２２から洗浄水が吐出されるようになっている。
【００１９】
さらに、図３及び図４に示すように、ボウル部１４の底部には、排水トラップ管路１８の入口部１８ａに差し向けられるようにジェット吐水口２６が形成されている。このジェット吐水口２６による吐水に関しては、給水系機能部１２に設けられている貯水タンク１２２（図９及び図１０参照）に貯水された洗浄水が、給水系機能部１２の加圧ポンプ１２４（図９及び図１０参照）によって加圧されて、ジェット吐水口２６から吐出されるようになっている。また、ジェット吐水口２６から吐出された洗浄水は、排水トラップ管路１８の入口部１８ａから、この入口部１８ａの後方側の上昇管路１８ｂ内に流入した後、この上昇管路１８ｂ内を排水トラップ管路１８の頂部１８ｃから下降管路１８ｄに流出するようになっている。
【００２０】
衛生洗浄系機能部１０及び給水系機能部１２のそれぞれの具体的な構造については、従来のものと同様であるため、詳細な説明については省略するが、図３及び図４に示すように、衛生洗浄系機能部１０には、ボウル部１４の上方の使用者に向けて洗浄水を噴射するノズル装置２８（ノズル部）を含む局部洗浄装置３０が設けられている。その他、衛生洗浄系機能部１０には、局部洗浄装置３０に供給される洗浄水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
【００２１】
一方、給水系機能部１２の給水路は、その上流側が給水源である水道に接続されており、貯水タンク１２２の上流側の給水路には、定流量弁（図示せず）、電磁弁１３０、貯水タンク１２２への給水とリム吐水口２２への吐水とを切り替える切替弁１３６等が設けられている。また、給水系機能部１２には、これら以外にも、電磁弁１３０の開閉操作、切替弁１３６の切替操作、及び、加圧ポンプ１２４の回転数や作動時間等を制御するコントローラ１２６等が設けられている。
【００２２】
なお、本実施形態による水洗式大便器１においては、リム吐水口２２によるリム吐水について水道の給水圧力を利用して行い、ジェット吐水口２６によるジェット吐水について加圧ポンプ（図示せず）を制御することにより貯水タンク（図示せず）内の洗浄水を供給する、いわゆる、ハイブリット式の水洗式大便器の形態について説明するが、このような形態に限られず、他の形態についても適用可能である。すなわち、他の形態として、水道のみから直接的に供給される洗浄水について、バルブを切り替えることによってリム吐水口２２によるリム吐水とジェット吐水口２６によるジェット吐水とを切り替えるような形態であってもよいし、貯水タンク内の洗浄水について、ポンプのみを切り替えることによって、リム吐水口２２によるリム吐水とジェット吐水口２６によるジェット吐水とを切り替えるような形態であってもよい。
【００２３】
次に、図１〜図６を参照して、本実施形態の水洗式大便器１の便器本体２におけるリム部１６及びスカート部２０、並びに、便座４及び便蓋６の詳細について説明する。
図６は、本発明の一実施形態による水洗式大便器の便器本体の背面図である。
【００２４】
図１〜図６に示すように、便器本体２のスカート部２０は、ボウル部１４よりも後方側の側面２０ａが衛生洗浄系機能部１０の左右方向の両側を覆うようにリム部１６の上面１６ａよりも上方に突出して且つ内側に窄まるように形成されており、衛生洗浄系機能部１０の最上面１０ａは、スカート部２０の上部に配置されている。そして、衛生洗浄系機能部１０の上方には、カバー部材３２が上方から取り外し可能に取り付けられている。
【００２５】
これにより、衛生洗浄系機能部１０の側面と、これに対向するスカート部２０の内側側面と、の間に隙間がなくなり、この隙間から汚れが付着することを防ぐことができ、清掃性を高めることができるようになっている。
【００２６】
また、衛生洗浄系機能部１０の側面と、これに対向するスカート部２０の内側側面と、の間に隙間がなくなることにより、スカート部２０の外側が被水した場合であっても、隙間から衛生洗浄系機能部１０内に水が浸入することを防ぐこともできるようになっている。
【００２７】
さらに、衛生洗浄系機能部１０の最上面１０ａがスカート部２０の上部に配置されていると共に、衛生洗浄系機能部１０の上方にはカバー部材３２が上方から取り外し可能に取り付けられていることにより、例えば、衛生洗浄系機能部１０の局部洗浄装置３０やその他の機器についてメンテナンス等を行う際に、衛生洗浄系機能部１０に対して上方側（使用者側）からアクセスしやすく、メンテナンス性を高めることができるようになっている。
【００２８】
また、ボウル部１４よりも後方側のスカート部２０の側面２０ａが衛生洗浄系機能部１０の左右方向の両側を覆うようにリム部１６の上面１６ａよりも上方に突出して且つ内側に窄まるように形成されていることにより、ボウル部１４、リム部１６及びスカート部２０の構造的な外観の一体性を高めることができ、意匠性を向上させることもできるようになっている。
【００２９】
次に、図３〜図５に示すように、衛生洗浄系機能部１０の下面とリム部１６の後方側領域の上面１６ａとの間には、シール部材３４が設けられている。これにより、例えば、ボウル部１４内の洗浄水がリム部１６の後方側領域の上面１６ａと衛生洗浄系機能部１０の下面との間に浸入したとしても、シール部材３４が衛生洗浄系機能部１０の内部に水が浸入することを防ぐことができるようになっている。
【００３０】
次に、図３〜図５に示すように、スカート部２０の上面は、ほぼ水平に形成された水平部２０ｂと、当該水平部２０ｂの後端２０ｃから衛生洗浄部の側方側を覆うように上方に突出する突出部２０ｄと、を備えている。
また、図５に示すように、リム部１６の外縁部の下面１６ｂは、便器本体２の製造工程において、スカート部２０の上面の水平部２０ｂ及び突出部２０ｄの双方に接着されるようになっている。これにより、リム部１６をスカート部２０の上面に対して確実に接着して固定することができるようになっている。また、リム部１６とスカート部２０との接着部分を目立たなくすることができるため、リム部１６とスカート部２０との構造的な一体性を高めることができ、意匠性を向上させることもできるようになっている。
【００３１】
次に、図３に示すように、リム吐水口２２は、便器本体２の左右方向の一方側（便器本体２の左右方向の右側）のリム部１６の内周面における前後方向の前方側に形成されており、給水源である水道（図示せず）から導水路２４を経てリム吐水口２２に導かれた洗浄水を後方に向けて吐水するようになっている。
【００３２】
また、図３及び図５に示すように、リム吐水口２２付近のリム部１６の上面１６ａ付近及びこの付近よりも後方側における左右両側のスカート部２０の上面の突出部２０ｄは、リム吐水口２２付近のリム部１６の上面１６ａ付近から後方側に向かって徐々に上方に突出するように形成されており、リム吐水口２２から後方に向けて洗浄水Ｗが吐水された際に、この吐水された洗浄水Ｗがリム部１６の後方側領域において外側に飛び出すことを抑制することができるようになっている。
【００３３】
ここで、スカート部２０の形状をより詳しく説明すると、スカート部２０の上方部分は、後方側の左右領域及び後方領域において、鉛直方向に対して外側に凸状に湾曲した膨出部２０ｗを有している（図１〜図４、図６参照）。すなわち、スカート部２０の膨出部２０ｗが、平面視において、当該膨出部２０ｗの上端縁（本実施形態においてはスカート部２０の上端縁）からはみ出ている。このような形状は、美観に優れ、すなわち、それ自体の意匠性が高い。
【００３４】
また、スカート部２０の膨出部２０ｗは、平面視において、左右いずれの方向においても便蓋６の側方に５ｍｍ程度の距離Ｄだけはみ出ている（図６参照）。すなわち、平面視において、便蓋６の方が相対的に僅かに小さい。本件発明者による検討によれば、そのようなサイズ選択こそ、美観に優れる。（なお、距離Ｄは、一定値である必要はない。）
そして、スカート部２０の下方部分は、後方側の左右領域及び後方領域において、膨出部２０ｗから滑らかに連続すると共に、鉛直方向に対して内側に凸状に湾曲したスリム部２０ｓを有していることが好ましい。このような形状は、美観に優れ、すなわち、それ自体の意匠性が高い。更に、床面清掃等の作業のための空間も確保されるため、機能面でも優れる。
【００３５】
図６に示す後方から見たシルエットの状態で、本実施形態においては、膨出部２０ｗとスリム部２０ｓとの高さの比は、２．３：１である。また、膨出部２０ｗの下端縁（スリム部２０ｓの上端縁）は、略１５０ｍｍの高さに設けられ、膨出部２０ｗの上端縁（スカート部２０の上端縁）は、３８０ｍｍ〜５２０ｍｍの高さ範囲内に設けられている。更に、膨出部２０ｗの膨らみの程度に関して、図６に示す後方から見たシルエットの状態で、膨出部２０ｗの中間部（スカート部２０の中間部）Ｍは、当該膨出部２０ｗの上端縁に対して８０ｍｍ（図６の距離ｗ１）、当該膨出部２０ｗの下端縁（スリム部２０ｓの上端縁）に対して２９ｍｍ（図６の距離ｗ２）、だけ膨らみ出ており、スカート部２０の下端縁（スリム部２０ｓの下端縁）からは７２ｍｍの位置にあり（図６の距離ｗ３）、便器本体２の中心線からは２３４ｍｍの位置にある（図６の距離ｗ４）。なお、後方から見たシルエットの状態での膨出部２０ｗの曲率半径は、一定である必要はなく、上端縁付近では、８ｃｍであり、中間部Ｍ付近では、４８ｃｍである。
【００３６】
次に、図２〜図４に示すように、衛生洗浄系機能部１０の局部洗浄装置３０のノズル装置２８は、使用前の待機状態のノズル本体３６がリム部１６の後方側領域Ｒ１の上方に位置し、使用状態のノズル本体３８の先端部３８ａがボウル部１４の上方の所定位置まで伸長して、便座４上の使用者に向けて所定方向に洗浄水を噴射するようになっている。
【００３７】
また、図２〜図４に示すように、リム部１６の後方側領域Ｒ１の上面の高さ位置Ｐ１は、使用状態のノズル本体３８の先端部３８ａがボウル部１４の上縁の高さ位置Ｐ２と同一の高さ位置付近で水没しないように、リム部１６の前方側領域Ｆ１の上面の高さ位置Ｐ３と同一高さ位置に設定されている。
なお、リム部１６の後方側領域Ｒ１の上面の高さ位置Ｐ１については、リム部１６の前方側領域Ｆ１の上面の高さ位置Ｐ３よりも高い高さ位置に設定されていてもよい。
これにより、使用状態の局部洗浄装置３０のノズル装置２８のノズル本体３８について、その先端部３８ａがボウル部１４の上縁の高さ位置Ｐ２と同一の高さ位置付近で水没することなく、ボウル部１４の上方の所定位置まで伸長させやすくすることができるようになっている。また、使用状態の局部洗浄装置３０のノズル装置２８のノズル本体３８がボウル部１４内で水没することによって局部洗浄装置３０のノズル装置２８に故障や不具合が発生することを防ぐことができるようになっている。
【００３８】
次に、図６に示すように、スカート部２０の膨出部２０ｗは、その外周面が上下方向の中間部Ｍ付近から下方に向かって窄まる形状に形成されている。これにより、例えば、このスカート部２０の膨出部２０ｗの外周面の窄まる形状部分に、水洗式大便器１を持ち運びするための便器補助部材４０を取り付けることができ、水洗式大便器１を容易に持ち運びすることができるようになっている。
【００３９】
ここで、図７は、本発明の一実施形態による水洗式大便器に便器補助部材を取り付けた状態の斜視図である。
図７に示すように、便器補助部材４０については、従来のものと同様であるため、詳細な説明については省略するが、水洗式大便器１の製品出荷時に水洗式大便器１のスカート部２０の周囲に装着される梱包部材の一部である内装材であり、段ボール紙等によって形成されている。
【００４０】
例えば、まず、水洗式大便器１を所定の設置場所に設置する作業を行う前に、図７に示すように、便器補助部材４０の底面開口部４０ａの中に便器本体２のスカート部２０のスリム部２０ｓの下方部分から挿入されることにより、便器補助部材４０の底面開口部４０ａの開口断面積よりも大きい断面積を有するスカート部２０の膨出部２０ｗの外周面の上下方向の中間部Ｍが、便器補助部材４０の底面開口部４０ａによって保持される。
そして、水洗式大便器１を所定の設置場所に設置する際には、水洗式大便器１の前後の各施工者が、便器補助部材４０の両側に一対ずつ設けられた前側手掛け部４０ｂ及び後側手掛け部４０ｃのそれぞれに手を掛けて持ち上げて移動することにより、便器補助部材４０と水洗式大便器１を所定の設置位置まで容易に持ち運びすることができるようになっている。
【００４１】
次に、図１に示すように、スカート部２０の外側表面積Ａ１は、便蓋６の外側表面積Ａ２及びスカート部２０の外側表面積Ａ１の総面積Ａ３（Ａ３＝Ａ１＋Ａ２）に対して６０％〜７０％に設定されている。これにより、水洗式大便器１における便蓋６以外の大半の部分をスカート部２０で占有することができ、便器本体２のボウル部１４や排水トラップ管路１８等の内部構造についてスカート部２０で保護することができるようになっている。また、水洗式大便器１の大半を占有する便器本体２のスカート部２０により、水洗式大便器１の構造的な外観の一体性を高めることができるため、意匠性を向上させることもできるようになっている。
【００４２】
次に、図３に示すように、便座４は、衛生洗浄系機能部１０の上方のカバー部材３２及び便器本体２のリム部１６の上面１６ａを上方から覆うように設けられている。これにより、便座４が便器本体２のリム部１６の上面１６ａに接触した状態では、便座４がリム部１６の上面１６ａを保護することができるようになっており、また、便座４がカバー部材３２と共に、衛生洗浄系機能部１０の上面を保護することができるようになっている。
さらに、便座４によって、衛生洗浄系機能部１０の上方のカバー部材３２の上面及びリム部１６の上面１６ａを隠蔽して目立たなくすることができ、意匠性を向上させることもできるようになっている。
【００４３】
次に、図３に示すように、便蓋６は、便座４の全体を上方から覆うように設けられている。水洗式大便器１を使用しないときには、通常、便蓋６で便座４を覆うことにより、便座４を保護することができるようになっている。また、便蓋６で便座４を覆うことにより、便座４や便器本体２のボウル部１４内を隠蔽して目立たなくすることができるため、意匠性を向上させることもできるようになっている。
また、図３に示すように、便蓋６は、便座４を介して便器本体２のボウル部１４を上方から覆うと共に、スカート部２０を上方から覆うようになっていることにより、便蓋６が便座４を介して便器本体２のボウル部１４及びスカート部２０のそれぞれを同時に覆うことができると共に、ボウル部１４及びスカート部２０のそれぞれについて上方から確実に保護することができるようになっている。
さらに、図１及び図６に示すように、便蓋６がスカート部２０を覆った状態では、スカート部２０と便蓋６との構造的な外観の一体性を高めることができ、意匠性を向上させることもできるようになっている。
【００４４】
次に、図８は、本発明の一実施形態による水洗式大便器の便器本体のスカート部及び便蓋における後方側部分を拡大した部分拡大平面図である。
図３、図４、図６及び図８に示すように、便器本体２のスカート部２０は、ボウル部１４及びリム部１６よりも後方且つ上方の上端部における左右方向の中間部において下方に向かって凹状に切り欠いた切欠き部４２を形成している。
なお、図８に示すように、切欠き部４２には、通常、切欠き部４２の内部を隠蔽するための化粧パネル４４が取り付けられているが、図３、図４及び図６に示す切欠き部４２については、化粧パネル４４を取り外した状態を示している。
【００４５】
また、図３、図４、図６及び図８に示すように、切欠き部４２の内側には、便座４及び便蓋６のそれぞれの回動軸４６，４８が回動可能にそれぞれ取り付けられるヒンジ部である軸受フレーム５０が設けられている。これにより、便座４及び便蓋６の各回動軸４６，４８やこれらのヒンジ部である軸受フレーム５０がスカート部２０の切欠き部４２の外側に露出して設けられているものに比べて、軸受フレーム５０やその周辺の便座４及び便蓋６の各回動軸４６，４８に汚れが溜まり難くすることができるようになっており、便座４及び便蓋６の各回動軸４６，４８の機能性や清掃性を高めることができるようになっている。
さらに、便蓋６の回動軸４８が、スカート部２０の切欠き部４２の内側の軸受フレーム５０に回動可能に取り付けられていることにより、便蓋６がボウル部１４及び便座４を覆った状態では、スカート部２０と便蓋６との構造的な外観の一体性を高めることができ、意匠性を向上させることもできるようになっている。
【００４６】
次に、図３、図４、図６及び図８に示すように、軸受フレーム５０は、衛生洗浄系機能部１０の下方に配置されているベースプレート５２（図６参照）と共に便器本体２に対して前後方向に所定距離Ｌ１（図８参照）だけ摺動可能となっており、便器本体２のスカート部２０の切欠き部４２に対する軸受フレーム５０の前後方向の位置、並びに、便座４及び便蓋６の各回動軸４６，４８の前後方向の位置が調整可能となっている。
これにより、水洗式大便器１を設置場所に設置する際に、便器本体２のスカート部２０及び便蓋６の前後方向の設置スペースに応じて、軸受フレーム５０の前後方向の位置、並びに、便座４及び便蓋６の各回動軸４６，４８の前後方向の位置を適宜調整して位置決めすることができ、施工負担を軽減することができるようになっている。
【００４７】
次に、図６に示すように、スカート部２０の切欠き部４２の内側には、衛生洗浄系機能部１０の換気を行うための換気ダクト５４が衛生洗浄系機能部１０の一部として配置されており、また、機能部８の一部である照明装置５６等も配置されている。これにより、換気ダクト５４等の衛生洗浄系機能部１０の一部や照明装置５６等の機能部８の一部について施工したり、メンテナンスしたりする際には、化粧パネル４４を取り外すことにより、スカート部２０の切欠き部４２から機能部８の一部に容易にアクセスすることができ、施工性やメンテナンス性を高めることができるようになっている。
【００４８】
次に、上述した本発明の一実施形態による水洗式大便器１における作用について説明する。
まず、本発明の一実施形態による水洗式大便器１によれば、便器本体２のボウル部１４よりも後方側のスカート部２０の側面２０ａが衛生洗浄系機能部１０の左右方向の両側を覆うようにリム部１６の上面１６ａよりも上方に突出して且つ内側に窄まるように形成されていることにより、衛生洗浄系機能部１０の側面と、これに対向するスカート部２０の内側側面との間に隙間がなくなり、この隙間から汚れが付着することを防ぐことができるため、清掃性を高めることができる。
【００４９】
また、衛生洗浄系機能部１０の側面と、これに対向するスカート部２０の内側側面との間に隙間がなくなることにより、スカート部２０の外側が被水した場合であっても、隙間から衛生洗浄系機能部１０内に水が浸入することを防ぐこともできる。
【００５０】
さらに、衛生洗浄系機能部１０の最上面１０ａがスカート部２０の上部に配置されていると共に、衛生洗浄系機能部１０の上方にはカバー部材３２が上方から取り外し可能に取り付けられていることにより、例えば、衛生洗浄系機能部１０の局部洗浄装置３０やその他の機器についてメンテナンス等を行う際に、衛生洗浄系機能部１０に対して上方側（使用者側）からアクセスしやすくなるため、メンテナンス性を高めることができる。
【００５１】
また、ボウル部１４よりも後方側のスカート部２０の側面２０ａが衛生洗浄系機能部１０の左右方向の両側を覆うようにリム部１６の上面１６ａよりも上方に突出して且つ内側に窄まるように形成されていることにより、ボウル部１４、リム部１６及びスカート部２０の構造的な外観の一体性を高めることができ、意匠性を向上させることもできる。
【００５２】
また、本実施形態による水洗式大便器１によれば、衛生洗浄系機能部１０の下面とリム部１６の後方側領域の上面１６ａとの間にシール部材３４が設けられていることより、例えば、ボウル部１４内の洗浄水がリム部１６の後方側領域の上面１６ａと衛生洗浄系機能部１０の下面との間に浸入したとしても、シール部材３４が衛生洗浄系機能部１０の内部に水が浸入することを防ぐことができる。
【００５３】
また、本実施形態による水洗式大便器１によれば、スカート部２０の上面は、ほぼ水平に形成された水平部２０ｂと、この水平部２０ｂの後端２０ｃから衛生洗浄部の側方側を覆うように上方に突出する突出部２０ｄと、を有しており、リム部１６の外縁部の下面１６ｂは、便器本体２の製造工程において、スカート部２０の上面の水平部２０ｂ及び突出部２０ｄの双方に接着されることにより、リム部１６をスカート部２０の上面に対して確実に接着して固定することができる。
また、リム部１６とスカート部２０との接着部分を目立たなくすることができるため、リム部１６とスカート部２０との構造的な一体性を高めることができ、意匠性を向上させることもできる。
【００５４】
また、本実施形態による水洗式大便器１によれば、リム吐水口２２が便器本体２の左右方向の一方側（便器本体２の左右方向の右側）のリム部１６の内周面における前後方向の中間部付近に形成されており、給水源である水道（図示せず）から導水路２４を経てリム吐水口２２に導かれた洗浄水を後方に向けて吐水するようになっており、また、リム吐水口２２付近のリム部１６の上面１６ａ付近及びこの付近よりも後方側における左右両側のスカート部２０の上面の突出部２０ｄが、リム吐水口２２付近のリム部１６の上面１６ａ付近から後方側に向かって徐々に上方に突出するように形成されているため、リム吐水口２２から後方に向けて洗浄水Ｗが吐水された際に、この吐水された洗浄水Ｗがリム部１４の後方側領域において外側に飛び出すことを抑制することができる。
【００５５】
また、本実施形態による水洗式大便器１によれば、リム部１６の後方側領域Ｒ１の上面の高さ位置Ｐ１は、使用状態のノズル本体３８の先端部３８ａがボウル部１４の上縁の高さ位置Ｐ２と同一の高さ位置付近で水没しないように、リム部１６の前方側領域Ｆ１の上面の高さ位置Ｐ３と同一高さ位置に設定されているか、又は、リム部１６の前方側領域Ｆ１の上面の高さ位置Ｐ３よりも高い高さ位置に設定されている。このため、使用状態の局部洗浄装置３０のノズル装置２８のノズル本体３８について、その先端部３８ａがボウル部１４の上縁の高さ位置Ｐ２と同一の高さ位置付近で水没することなく、ボウル部１４の上方の所定位置まで伸長させやすくすることができる。
また、使用状態の局部洗浄装置３０のノズル装置２８のノズル本体３８がボウル部１４内で水没することによって局部洗浄装置３０のノズル装置２８に故障や不具合が発生することを防ぐことができる。
【００５６】
また、本実施形態による水洗式大便器１によれば、スカート部２０は、その外周面が上下方向の中間部Ｍ付近から下方に向かって窄まる形状に形成されているため、例えば、このスカート部２０の外周面の窄まる形状部分に、水洗式大便器１を持ち運びするための便器補助部材４０を取り付けることができ、水洗式大便器１を容易に持ち運びすることができる。
【００５７】
また、本実施形態による水洗式大便器１によれば、便座４は、衛生洗浄系機能部１０の上方のカバー部材３２及び便器本体２のリム部１６の上面１６ａを上方から覆うように設けられていることにより、便座４が便器本体２のリム部１６の上面１６ａに接触した状態では、便座４がリム部１６の上面１６ａを保護することができる。
また、便座４がカバー部材３２と共に、衛生洗浄系機能部１０の上面を保護することもできる。
さらに、便座４によって、衛生洗浄系機能部１０の上方のカバー部材３２の上面及びリム部１６の上面１６ａを隠蔽して目立たなくすることができ、意匠性を向上させることもできる。
【００５８】
また、本実施形態による水洗式大便器１によれば、便座４の全体を上方から覆うように設けられている便蓋６により、水洗式大便器１を使用しないときには、便蓋６で便座４を覆うことにより、便座４を保護することができる。
また、便蓋６で便座４を覆うことにより、便座４や便器本体２のボウル部１４内を隠蔽して目立たなくすることができるため、意匠性を向上させることもできる。
【００５９】
また、本実施形態による水洗式大便器１によれば、便蓋６の外側表面積Ａ２及びスカート部２０の外側表面積Ａ１の総面積Ａ３（Ａ３＝Ａ１＋Ａ２）に対してスカート部２０の外側表面積Ａ１が６０％〜７０％に設定されていることにより、水洗式大便器１における便蓋６以外の大半の部分をスカート部２０で占有することができ、便器本体２のボウル部１４や排水トラップ管路１８等の内部構造についてスカート部２０で保護することができる。
【００６０】
また、水洗式大便器１の大半を占有する便器本体２のスカート部２０により、水洗式大便器１の構造的な外観の一体性を高めることができるため、意匠性を向上させることもできる。
特に、スカート部２０の上方部分が、後方側の左右領域及び後方領域において、鉛直方向に対して外側に凸状に湾曲した膨出部２０ｗを有していることにより（図１〜図４、図６参照）、美観に優れ、意匠性が高い。また、本実施形態のスカート部２０の膨出部２０ｗは、平面視において、左右いずれの方向においても便蓋６の側方にはみ出ているが、このようなサイズ選択は、実際に美観に優れることが確認されている。
【００６１】
さらに、本実施形態のスカート部２０の下方部分が、後方側の左右領域及び後方領域において、膨出部２０ｗから滑らかに連続すると共に内側に凸状に湾曲したスリム部２０ｓを有していることによっても、美観に優れ、意匠性が高い。また、このような形状は、床面清掃等の作業のための空間も確保されるため、機能面でも優れる。
【００６２】
なお、本実施形態においては、前述の通り、図６に示す後方から見たシルエットの状態で、膨出部２０ｗとスリム部２０ｓとの高さの比は、２．３：１であり、膨出部２０ｗの下端縁（スリム部２０ｓの上端縁）は、略１５ｃｍの高さに設けられており、膨出部２０ｗの上端縁（スカート部２０の上端縁）は、３８０ｍｍ〜５２０ｍｍの高さ範囲内に設けられており、膨出部２０ｗの中間部（スカート部２０の中間部）Ｍは、当該膨出部２０ｗの上端縁に対して８０ｍｍ（図６の距離ｗ１）、当該膨出部２０ｗの下端縁（スリム部２０ｓの上端縁）に対して２９ｍｍ（図６の距離ｗ２）、だけ膨らみ出ており、スカート部２０の下端縁（スリム部２０ｓの下端縁）からは７２ｍｍの位置にあり（図６の距離ｗ３）、便器本体２の中心線からは２３４ｍｍの位置にある（図６の距離ｗ４）。このようなサイズ選択は、実際に美観に優れることが確認されている。
【００６３】
美観という観点からは、膨出部とスリム部との高さの比は、２：１〜３：１の範囲内であることが好ましく、膨出部の下端縁は、１２０ｍｍ〜１７０ｍｍの高さ範囲内に設けられていることが好ましく、膨出部の上端縁は、３８０ｍｍ〜５２０ｍｍの高さ範囲内に設けられていることが好ましく、膨出部の膨らみの程度については、平面視において、膨出部は当該膨出部の上端縁に対して１ｍｍ以上、当該膨出部２０ｗの下端縁（スリム部２０ｓの上端縁）に対して１０ｍｍ以上、スカート部２０の下端縁（スリム部２０ｓの下端縁）に対して２０ｍｍ以上、はみ出ていることが好ましい。
【００６４】
さて、引き続いて、本実施形態の水洗式大便器の給水系機能部について説明を続ける。図９は、本実施形態による水洗式大便器の給水系機能部を示す概略斜視図であり、図１０は、図２のＸ−Ｘ線に沿って見た断面図であり、図１１は、本発明の一実施形態による水洗式大便器の給水系機能部を示す概略縦断面図である。
【００６５】
図９に示すように、給水系機能部１２には、水道等の給水源からの流路を電気的に開閉する電磁弁１３０と、電磁弁１３０の下流側の給水路に設けられてリム導水路１３２への給水と貯水タンク１２２側への給水とを切り替える切替弁１３６と、洗浄水を貯水する貯水タンク１２２と、貯水タンク１２２に貯水された洗浄水を加圧して送出する加圧ポンプ１２４と、が設けられている。電磁弁１３０の開閉操作、切替弁１３６の切換操作、及び、加圧ポンプ１２４の回転数や作動時間等、を制御するコントローラ（制御手段）１２６も、給水系機能部１２に内蔵されている。コントローラ１２６は、使用者の操作部（図示せず）の操作を受けて作動される。給水系機能部１２には、定流量弁、リム吐水用バキュームブレーカ、ジェット吐水用バキュームブレーカ等の他の部材も、必要に応じて、設けられ得る。
【００６６】
水道等の給水源から供給される洗浄水は、給水源から延びる給水管（図示せず）が止水栓まで接続され、止水栓（図示せず）を介して、電磁弁１３０に流入し、電磁弁１３０を通過した洗浄水は、切替弁１３６に供給されるようになっている。給水管は、後述するように二重壁内収納空間部１４６内を通すように配置されていてもよい。電磁弁１３０は、コントローラ１２６の制御信号により開閉され、供給された洗浄水を切替弁１３６に流入させ、又は停止させるようになっている。切替弁１３６は、コントローラ１２６の制御信号により切替えられ、供給された洗浄水をリム吐水口２２又は貯水タンク１２２に供給するようになっている。
切替弁１３６は、リム側であるリム導水路１３２とタンク側である貯水タンク１２２の両方に同じタイミングで洗浄水を供給可能であって、リム側とタンク側への給水量の割合を任意に変更することができる切替弁である。また、リム導水路１３２又は貯水タンク１２２の片方のみに洗浄水を供給するように流路を切替えることも可能である。
【００６７】
貯水タンク１２２は、ジェット吐水口２６から吐水すべき洗浄水を貯水するように構成されている。貯水タンク１２２に供給された洗浄水は、加圧ポンプ１２４により加圧して送出され、ジェット吐水口２６に供給されるようになっている。
【００６８】
加圧ポンプ１２４は、貯水タンク１２２に貯水された洗浄水を加圧して、ジェット吐水口２６から吐出させるためのものである。加圧ポンプ１２４は、貯水タンク１２２の下流側の洗浄水給水管路（図示せず）上に設けられ、貯水タンク１２２内に貯水された洗浄水を加圧して圧送する。
加圧ポンプ１２４が貯水タンク１２２に貯水された洗浄水を加圧して圧送するので、水道直圧の給水方式とは異なり、水道等の給水圧が比較的低い地域においても、洗浄水の予め決められた所定の瞬間流量でジェット吐水を行うことができ、安定した洗浄性能を有することができる。
【００６９】
コントローラ１２６は、使用者による操作部（図示せず）の操作により、電磁弁１３０、切替弁１３６、加圧ポンプ１２４を順次作動させ、リム吐水口２２及びジェット吐水口２６からの吐水を順次開始させて、ボウル部１４を洗浄する。さらに、コントローラ１２６は、洗浄終了後、電磁弁１３０を開放し、洗浄水を貯水タンク１２２に補給する。貯水タンク１２２内の水位が上昇し、貯水タンク１２２内の上端フロートスイッチ（図示せず）が規定の貯水量を検出すると、コントローラ１２６は、電磁弁１３０を閉鎖して給水を停止する。
【００７０】
加圧ポンプ１２４、コントローラ１２６、電磁弁１３０、切替弁１３６等の給電配線（図示せず）は、局部洗浄装置３０に接続され、局部洗浄装置３０の給電配線（図示せず）とともに、配線１６４と接続されている。なお、加圧ポンプ１２４、コントローラ１２６、電磁弁１３０、切替弁１３６等の給電配線（図示せず）は、局部洗浄装置３０を介さずに直接配線１６４と接続されていてもよい。よって、電気が、外部電源から配線１６４を介して、加圧ポンプ１２４、電磁弁１３０、切替弁１３６、局部洗浄装置３０等に供給されるようになっている。
【００７１】
さて、図１０に示すように、本実施形態のスカート部２０は、外観を構成する外装部分を形成する外壁（スカート部本体）１４０と、外壁１４０の内側に形成される内壁１４２と、により形成される二重壁部分１４４を少なくとも一部に備えている。そして、スカート部２０の外壁１４０の裏面側において、二重壁部分１４４は、二重壁内収納空間部１４６を形成している。より具体的には、スカート部２０の内壁１４２が、外壁１４０より内側に当該外壁１４０から離間して縦壁状に形成されていて、当該内壁１４２と外壁１４０とにより形成される二重壁部分１４４の隙間空間が二重壁内収納空間部１４６となっている。
【００７２】
そして、図６及び図１１に示すように、スカート部２０の外壁１４０の後方下部には、配管接続用の外部開口部１４８が形成されている。当該外部開口部１４８は、使用者から見て便器本体２の背面側に位置し、使用者からは視認されにくい。なお、外部開口部１４８の位置は、スカート部２０の下端部であってもよい。すなわち、スカート部２０と床面Ｆ（図１０参照）との間に隙間状に外部開口部１４８が形成されてもよい。
【００７３】
図１０に示すように、便器本体２は、スカート部２０の内壁１４２の内側に機能部８（衛生洗浄系機能部１０及び／または給水系機能部１２）を配置できるようになっている。より具体的には、左側部分のスカート部２０の内壁１４２の内側と、右側部分のスカート部２０の内壁１４２の内側と、の中央領域に第一収納空間部１５４が形成されて、そこに機能部８を配置できるようになっている。これにより、機能部８の全部または機能部８の一部を、便器本体２内に埋め込むように収納できるようになっている。
【００７４】
図１０に示すように、二重壁内収納空間部１４６は、第一収納空間部１５４の外側に形成されている。そして、左側の内壁１４２の上部の上部内壁１４２ａに、第一収納空間部１５４と二重壁部分１４４内の二重壁内収納空間部１４６とを連通する第一接続開口１５６が形成されている。また、左側の内壁１４２の下部の下部内壁１４２ｂに、第二収納空間部１５２と二重壁部分１４４内の二重壁内収納空間部１４６とを接続する第二接続開口１５８が形成されている。
本実施形態の第二収納空間部１５２は、第一収納空間部１５４と区切られて第一収納空間部１５４の下方部分に設けられているが、第二収納空間部１５２は、第一収納空間部１５４と連通していてもよい。
【００７５】
第二収納空間部１５２は、左右の下部内壁１４２ｂの間であって、後述する補強部１６６の下方に位置している。第二収納空間部１５２は、その下面が床面Ｆによって形成されている。第二収納空間部１５２は、スカート部２０の後方の下部に設けられた外部開口部１４８と連通している。すなわち、第二収納空間部１５２は、外部開口部１４８を介して便器本体２の外部に連通するようになっている。これにより、第一収納空間部１５４から第二収納空間部１５２及び外部開口部１４８を介して水洗式大便器１の外部まで挿通可能な挿通経路部１５０が形成されている。本実施形態においては、挿通経路部１５０は、第一収納空間部１５４、第一接続開口１５６、二重壁内収納空間部１４６、第二接続開口１５８、第二収納空間部１５２及び外部開口部１４８により形成される連続した空間の経路である。
【００７６】
本実施形態においては、局部洗浄装置３０及び給水系機能部１２の配線１６４（当該配線１６４は、一般的には可撓性の細長部材からなるが、機能部８の一部として理解することもできる）が、第一接続開口１５６を介して二重壁内収納空間部１４６内に通され、第二接続開口１５８から第二収納空間部１５２内に通され、且つ第二収納空間部１５２から外部開口部１４８を介して外部に延ばされている。
本実施形態においては、二重壁内収納空間部１４６、第一接続開口１５６及び第二接続開口１５８は、便器本体２の左側部分に形成されているが、便器本体２の右側部分に形成されていてもよいし、便器本体２の左側部分及び右側部分の両側に形成されていてもよいし、便器本体２の背側部分等の他の部分に形成されていてもよい。
【００７７】
また、本実施形態においては、二重壁内収納空間部１４６は、少なくとも第一収納空間部１５４の外側に形成されている。また、二重壁内収納空間部１４６は、その上端の高さが、第一収納空間部１５４の上端の高さとほぼ同じ高さに形成されている。よって、二重壁内収納空間部１４６の一部は、その高さが、第一収納空間部１５４の高さとほぼ同じ高さに形成されている。これにより、第一接続開口１５６は、横方向に延びる貫通孔として形成されている。二重壁内収納空間部１４６は、このような第一接続開口１５６を介して第一収納空間部１５４と接続されることにより、第一収納空間部１５４の内部収納空間を左右方向に拡張するような拡張内部収納空間を形成している。従って、二重壁内収納空間部１４６は、第一収納空間部１５４内に設けられた機能部８が横方向に突出する部分を有している場合においても、この横方向に突出する部分を二重壁内収納空間部１４６内に受け入れることができるようになっている。
【００７８】
また、本実施形態の二重壁内収納空間部１４６内には、二重壁内収納空間部１４６内に管状の通路を形成するさや管１６０が設けられている。さや管１６０は、管状のダクトを形成している。さや管１６０は、内部にさまざまな給電用等の配線、給水等のための通水配管、通気配管、コントローラ１２６と信号を送受信できる信号線、操作用ワイヤ、及び／または固定用ワイヤ等の可撓性の細長部材（機能部の可撓性の細長部材）を通すことができる導管としての機能を有している。さや管１６０は、可撓性を有し且つ径の比較的小さい細長部材を通すことができる。さや管１６０は、内部にさまざまな配線、配管、ワイヤ等を収納することができる収納部としての機能を有している。さらに、さや管１６０は、その入口部近傍において、配線の接続部等の機能部８の一部が挿入された状態で配置される収納部としての機能を有している。
さや管１６０は、第一接続開口１５６及び／または第二接続開口１５８において固定部１６２によりスカート部２０に固定されている。さや管１６０は、スカート部２０の他の部分に固定されていてもよく、また、便器本体２内に配置される他の部材に固定されていてもよい。
本実施形態においては、さや管１６０は、局部洗浄装置３０及び給水系機能部１２の両者に給電できる１つの配線１６４を通しているが、さや管１６０は、機能部８の複数の配線を別々にした状態のまま通すこともできる。さらに、さや管１６０は、配線、通水配管、通気配管、信号線、及び／またはワイヤ等、のうちの複数の可撓性の細長部材を通すこともできる。さらに、さや管１６０は、２つ以上のさや管１６０により形成されていてもよく、例えば、１つのさや管１６０が配線を通している場合に、別のさや管１６０が通水配管を通すように構成されていてもよい。
【００７９】
さや管１６０は、自身が可撓性を有し、二重壁内収納空間部１４６内において自由に変形可能であるため、機能部８の配線１６４等の可撓性の細長部材をさや管の形状に沿って二重壁内収納空間部の収納スペースに効率的に配置することができる。また、機能部８の配線１６４等の可撓性の細長部材をスカート部２０の二重壁部分１４４内の二重壁内収納空間部１４６内を通す際に、さや管１６０に沿って比較的容易に挿通させることができる。さらに、さや管１６０が内部に配置される機能部８の可撓性の細長部材を保護する機能も果たすことが出来る。
本実施形態においては、さや管１６０は、第一接続開口１５６から、二重壁内収納空間部１４６内を延び、第二接続開口１５８まで延びるように形成されているが、さや管１６０は、その一端（開始端）が第一収納空間部１５４内まで延びるように形成されていてもよく、また、さや管１６０は、その他端（終端）が第二収納空間部１５２、外部開口部１４８、又は便器本体２の外部まで延びるように形成されていてもよい。
なお、二重壁内収納空間部１４６内を通されたさや管１６０が、便器本体２内部において機能部８での内部配線、内部通水管、内部信号線及び／または内部ワイヤ等を通して配置するように形成されていてもよい。例えば、第二収納空間部１５２に配置された機能部８の一部と、第一収納空間部１５４に配置された機能部８の一部とを、さや管１６０を通る内部配線、内部通水管、内部信号線及び／又は内部ワイヤ等により接続することができる。
【００８０】
機能部８の一部を二重壁内収納空間部１４６等の内部に効率的に配置できることにより、機能部８の一部が便器本体２の外部に露出されることを抑制し、便器本体２の外観の意匠性を保つことが出来る。すなわち、使用者に対し、便器本体２のスカート部２０と便蓋６のみが見えるような美しいシルエットを保つことができる。
【００８１】
便器本体２は、さらに、少なくとも２カ所の二重壁部分１４４の内壁１４２を連結する補強部１６６を有する。補強部１６６は、左右方向に、右側の内壁１４２と左側の内壁１４２との間に延びている。補強部１６６は、第一収納空間部１５４の底面を形成し、上部の第一収納空間部１５４と下部の第二収納空間部１５２とを区切るようになっている。なお、補強部１６６は、二重壁部分１４４の内壁１４２をスカート部２０の他の部分と接続するように形成されていてもよい。
【００８２】
本実施形態の補強部１６６は、その左右側の両端において上方側に延びる上部内壁１４２ａと接続されていることに加えて、その左右側の両端よりもやや内側にずれた位置において下方側に延びる下部内壁１４２ｂと接続されている。また、図１１に示すように、補強部１６６は、前後方向においては、補強部１６６の前端が排水トラップ管路１８と接続され、補強部１６６の後端が便器本体２の後部側の上部内壁１４２ａと接続されている。
補強部１６６は、その上方に第一収納空間部１５４を形成し、且つ、第一収納空間部１５４内に収納される機能部８を支持するようになっている。補強部１６６が少なくとも２カ所の二重壁部分１４４の内壁を連結することにより、スカート部２０内に二重壁内収納空間部１４６を形成する場合においても、スカート部２０の二重壁部分１４４を互いに支持することでスカート部２０の強度及び耐荷性を向上させることができる。また、補強部１６６が二重壁部分１４４の内壁の間に補強面を形成することにより、内壁１４２や補強部１６６にかかる荷重を、補強部１６６に接続される他の内壁１４２等に分散させることができる。
【００８３】
上述した本発明の一実施形態による水洗式大便器１によれば、便器本体２は、スカート部２０の上端部よりも下方且つスカート部２０よりも内側に機能部８の少なくとも一部を便器本体２内に埋め込むように収納する第一収納空間部１５４を形成し、さらに、スカート部２０は、外壁１４０と、外壁１４０との間に二重壁内収納空間部１４６を形成する内壁１４２と、を有する二重壁部分１４４を少なくとも一部に形成している。よって、機能部８の少なくとも一部がスカート部２０よりも内側の便器本体２内の第一収納空間部１５４に埋め込まれるように収納される場合に、第一収納空間部１５４に配置される機能部８の少なくとも一部が第一接続開口１５６を介してスカート部２０の二重壁内収納空間部１４６内に配置されることができるので、機能部８の収納スペースを効率的に拡大することができる。
【００８４】
また、上述した本発明の一実施形態による水洗式大便器１によれば、機能部８の可撓性の細長部材、例えば配線１６４等が、二重壁内収納空間部１４６から第二接続開口１５８を介して便器本体２内の第二収納空間部１５２に延ばされるので、機能部８の一部を第一収納空間部１５４からスカート部２０の二重壁部分１４４内の二重壁内収納空間部１４６内を介して第二収納空間部１５２まで至るように配置することができ、スカート部２０の二重壁部分１４４内の二重壁内収納空間部１４６の収納スペースを有効に活用しながら、複数の内部の収納空間にまたがった配置を採用することができる。従って、結果的に、機能部８の収納スペースを効率的に拡大することができる。
【００８５】
さらに、上述した本発明の一実施形態による水洗式大便器１によれば、機能部８の可撓性の細長部材、例えば配線１６４等が、二重壁内収納空間部１４６から挿通経路部１５０を通して便器本体２の外部に延ばされるので、機能部８の一部を第一収納空間部１５４からスカート部２０の二重壁部分１４４内の二重壁内収納空間部１４６内を介して便器本体２の外部に延びるようにも配置することができる。これにより、結果的に、機能部８の収納スペースを効率的に拡大することができる。
【００８６】
また、上述した本発明の一実施形態による水洗式大便器１によれば、機能部８の可撓性の細長部材、例えば配線１６４等を、さや管１６０の形状に沿って二重壁内収納空間部１４６の収納スペースに効率的に配置することができる。また、機能部８の可撓性の細長部材をスカート部２０の二重壁部分１４４内の二重壁内収納空間部１４６内を通す際に、さや管１６０に沿って比較的容易に挿通させることができる。
【００８７】
また、上述した本発明の一実施形態による水洗式大便器１によれば、機能部８の取外し、修理、交換、メンテナンス時等において、さや管１６０を便器本体２内に残した状態で、機能部８の例えば配線１６４や給水管等をさや管１６０から取り外すことができ、且つ、機能部８の例えば配線１６４や給水管等を容易に再度取り付けることができる。
【００８８】
さらに、上述した本発明の一実施形態による水洗式大便器１によれば、補強部１６６が少なくとも２カ所の二重壁部分１４４の内壁１４２を連結することにより、スカート部２０内に二重壁内収納空間部１４６を形成する場合においても、スカート部２０の二重壁部分１４４を互いに支持することができ、スカート部２０及び便器本体２の強度及び耐荷重性を向上させることができる。
【００８９】
そして、上述した本発明の一実施形態による水洗式大便器１によれば、外部開口部１４８がスカート部２０の下方部分の後方領域に設けられているため、給水機構（例えば、止水栓や給水管等）等が視界から遮られるような配置を容易化できる。
【００９０】
例えば図６に示す外部開口部１４８は、便器本体２の後方領域において、膨出部２０ｗの中間部（スカート部２０の中間部）Ｍより下方に設けられ、図６の膨出部２０ｗの中間部Ｍより下方の領域を便器本体２の後方側に９ｃｍ程度まで延長して形成される空間内に給水機構（床面を貫通する管部を含む）を配置すれば、本実施の形態のスカート部２０の形状（特に膨出部２０ｗの存在）によって、当該給水機構を便器本体２の前方側から視認することはできない。具体的には、便器本体２の前方１００ｍｍの距離における便器本体２の左右方向の中心部にて高さ１７００ｍｍ程度の領域から視認することができない。このことにより、水洗式大便器１を設置した状態での美観をより一層向上させることができる。
図１２は、そのような水洗式大便器１の設置例を示す水洗式大便器設置室の平面図である。図１２の例では、給水機構として床面を貫通する高さ１０ｃｍの管部が、外部開口部１４８の後方１０ｍｍ且つ便器本体２の左右方向の中心線に対して２２０ｍｍの位置に鉛直に立設されているが、当該給水機構を便器本体２の前方側から視認することはできない。
【符号の説明】
【００９１】
１    水洗式大便器
２    便器本体
４    便座
６    便蓋
８    機能部
１０    衛生洗浄系機能部（衛生洗浄部）
１０ａ  衛生洗浄系機能部の最上面
１２    給水系機能部
１４    ボウル部
１６    リム部
１６ａ  リム部の上面
１６ｂ  リム部の外縁部の下面
１８    排水トラップ管路（排水路）
１８ａ  入口部
１８ｂ  上昇管路
１８ｃ  頂部
１８ｄ  下降管路
２０    スカート部
２０ａ  ボウル部よりも後方側のスカート部の側面
２０ｂ  スカート部の上面の水平部
２０ｃ  スカート部の上面の水平部の後端
２０ｄ  スカート部の上面の突出部
２０ｗ  膨出部
２０ｓ  スリム部
２２    リム吐水口（吐水部）
２４    導水路
２６    ジェット吐水口
２８    ノズル装置（ノズル部）
３０    局部洗浄装置
３２    カバー部材
３４    シール部材
３６    待機状態のノズル本体
３８    使用状態のノズル本体
３８ａ  使用状態のノズル本体の先端部
４０    便器補助部材
４０ａ  底面開口部
４０ｂ  前側手掛け部
４０ｃ  後側手掛け部
４２    便器本体のスカート部の切欠き部
４４    化粧パネル
４６    便座の回動軸
４８    便蓋の回動軸
５０    軸受フレーム
５２    ベースプレート
５４    換気ダクト
５６    照明装置
１２２      貯水タンク
１２４      加圧ポンプ
１２６      コントローラ
１２８      機能部カバー
１３０      電磁弁
１３２      リム導水路
１３４      ジェット導水路
１３６      切替弁
１４０      外壁
１４２      内壁
１４２ａ    上部内壁
１４２ｂ    下部内壁
１４４      二重壁部分
１４６      二重壁内収納空間部
１４８      外部開口部
１５０      挿通経路部
１５２      第二収納空間部
１５４      第一収納空間部
１５６      第一接続開口
１５８      第二接続開口
１６０      さや管
１６２      固定部
１６４      配線
１６６      補強部
１７０  給水管（の床面から外部開口部までの領域）
Ａ１    便器本体のスカート部の外側表面積
Ａ２    便蓋の外側表面積
Ａ３    便器本体のスカート部の外側表面積及び便蓋の外側表面積の総面積
Ｆ      床面
Ｆ１    リム部の前方側領域
Ｍ      スカート部の外周面における上下方向の中間部
Ｐ１    リム部の後方側領域の上面の高さ位置
Ｐ２    ボウル部の上縁の高さ位置
Ｐ３    リム部の前方側領域の上面の高さ位置
Ｒ１    リム部の後方側領域
【図１】
0006691662.tif 000002
【図２】
0006691662.tif 000003
【図３】
0006691662.tif 000004
【図４】
0006691662.tif 000005
【図５】
0006691662.tif 000006
【図６】
0006691662.tif 000007
【図７】
0006691662.tif 000008
【図８】
0006691662.tif 000009
【図９】
0006691662.tif 000010
【図１０】
0006691662.tif 000011
【図１１】
0006691662.tif 000012
【図１２】
0006691662.tif 000013